(57)【特許請求の範囲】
【請求項１】
間仕切壁の一部に設けられた開口部にはめ込まれたパネルユニットを備え、
前記パネルユニットは、
少なくとも一部が前記間仕切壁の厚み方向に離間対向する一対のパネル材と、
前記各パネル材の間に形成され、前記間仕切壁の壁面方向に延びる通気路と、
を備え、
前記通気路は、前記間仕切壁により仕切られた両空間のうち一方の空間と第一通気孔を介して連通されており、他方の空間と第二通気孔を介して連通されており、
前記パネルユニットは、前記通気路の上方において前記各パネル材に跨って設けられこれら各パネル材を連結する棚板を有していることを特徴とする建物の間仕切壁構造。
【請求項２】
前記通気路の一端側に前記第一通気孔が設けられ、前記通気路の他端側に前記第二通気孔が設けられていることを特徴とする請求項１に記載の建物の間仕切壁構造。
【請求項３】
前記パネルユニットは、前記各パネル材の間に設けられた仕切板を備え、
前記通気路は、前記各パネル材の間において前記仕切板を挟んだ両側に形成されていることを特徴とする請求項１又は２に記載の建物の間仕切壁構造。
【請求項４】
前記通気路には、吸音材が設けられていることを特徴とする請求項１乃至３のいずれか一項に記載の建物の間仕切壁構造。
【請求項５】
前記通気路には、前記各通気孔のうち一方の通気孔から他方の通気孔へと向かう空気の流れを前記通気路において生じさせるファン装置が設けられていることを特徴とする請求項１乃至４のいずれか一項に記載の建物の間仕切壁構造。
【請求項６】
前記間仕切壁により仕切られた両空間のうち少なくともいずれかの空間は居室空間となっており、
前記居室空間における温度を検知する居室温検知手段と、
前記居室温検知手段により検知された居室空間の温度が所定温度以上である場合に、前記ファン装置を作動させて排気を行う制御手段と、
を備えることを特徴とする請求項５に記載の建物の間仕切壁構造。
【請求項７】
前記間仕切壁により仕切られた両空間のうち少なくともいずれかの空間は居室空間となっており、
前記居室空間に人が存在することを検知する人検知手段と、
前記人検知手段により人が検知された場合に、前記ファン装置を作動させる制御手段と、
を備えることを特徴とする請求項５又は６に記載の建物の間仕切壁構造。
【発明の詳細な説明】
【技術分野】
【０００１】
本発明は、建物の間仕切壁構造に関する。
【背景技術】
【０００２】
近年、住宅等の建物では、間仕切壁の一部に開口部を設け、その開口部に窓パネルや棚等を配設する場合がある（例えば特許文献１）。例えば、窓パネルを配設する場合には、間仕切壁を挟んだ反対側の空間から窓を通じて光を採り入れることができるし、棚を配設する場合には、その棚に小物や花を飾ったりすることができるため、一般に殺風景となりがちな間仕切壁周辺を装飾することができる。
【先行技術文献】
【特許文献】
【０００３】
【特許文献１】特開２００５−１１３４５２号公報
【発明の概要】
【発明が解決しようとする課題】
【０００４】
ところで、上述した構成とした場合、間仕切壁の一部に設けられた開口部を利用して間仕切壁により仕切られた両空間の間で通気を可能とし、これにより当該両空間において換気を行えるようにすることが考えられる。具体的には、例えば開口部に設置した窓パネルに当該窓パネルを貫通する通気孔を形成し、その通気孔を通じて通気を行うことが考えられる。
【０００５】
しかしながら、窓パネルに通気孔を設けると、その通気孔を通じて音の出入りが発生するおそれがある。その場合、間仕切壁の遮音性が低下することとなり好ましくない。
【０００６】
本発明は、上記事情に鑑みてなされたものであり、間仕切壁により仕切られた両空間の間で通気を可能としつつ遮音性の低下を抑制することができる建物の間仕切壁構造を提供することを主たる目的とするものである。
【課題を解決するための手段】
【０００７】
上記課題を解決すべく、第１の発明の建物の間仕切壁構造は、間仕切壁の一部に設けられた開口部にはめ込まれたパネルユニットを備え、前記パネルユニットは、少なくとも一部が前記間仕切壁の厚み方向に離間対向する一対のパネル材と、前記各パネル材の間に形成され、前記間仕切壁の壁面方向に延びる通気路と、を備え、前記通気路は、前記間仕切壁により仕切られた両空間のうち一方の空間と第一通気孔を介して連通されており、他方の空間と第二通気孔を介して連通されていることを特徴とする。
【０００８】
本発明によれば、間仕切壁の一部に設けられた開口部にはパネルユニットがはめ込まれており、そのパネルユニットにおいて離間対向する一対のパネル材の間には通気路が形成されている。通気路は、間仕切壁により仕切られた両空間にそれぞれ通気孔を介して通じており、これにより間仕切壁により仕切られた両空間の間で通気が可能となっている。また、通気路は間仕切壁の壁面方向に延びているため、間仕切壁の厚みに制限されることなく通気路を長く形成することができる。そのため、通気孔を介して音が通気路に入り込んでも通気路において音の減衰を促進させることができる。よって、以上より間仕切壁により仕切られた両空間の間で通気を可能としつつ遮音性の低下を抑制することができる。
【０００９】
第２の発明の建物の間仕切壁構造は、第１の発明において、前記通気路の一端側に前記第一通気孔が設けられ、前記通気路の他端側に前記第二通気孔が設けられていることを特徴とする。
【００１０】
本発明によれば、通気路の両端側にそれぞれ各通気孔が設けられているため、通気路における音の伝搬距離をより一層長くすることができる。これにより、音の減衰効果を高めることができるため、より一層遮音性の低下を抑制することができる。
【００１１】
第３の発明の建物の間仕切壁構造は、第１又は第２の発明において、前記パネルユニットは、前記各パネル材の間に設けられた仕切板を備え、前記通気路は、前記各パネル材の間において前記仕切板を挟んだ両側に形成されていることを特徴とする。
【００１２】
本発明によれば、各パネル材の間においてこれら各パネル材の間に設けられた仕切板の両側に通気路が形成されるため、間仕切壁の壁厚分の限られたスペースにおいて通気路をさらに長く形成することができる。これにより、音の減衰効果をより一層高めることができるため、遮音性の低下を更に抑制することができる。
【００１３】
また、第２の発明を併せ持つ構成とすれば、仕切板を設けることにより長く形成された通気路の両端側に各通気孔が配置されるため、通気路における音の伝搬距離をより一層長くすることができ、その結果更なる音の減衰効果を得ることができる。
【００１４】
第４の発明の建物の間仕切壁構造は、第１乃至第３のいずれかの発明において、前記通気路には、吸音材が設けられていることを特徴とする。
【００１５】
本発明によれば、通気路を伝搬する音を吸音材によって吸収することができるため、遮音性の低下をさらに抑制することができる。
【００１６】
第５の発明の建物の間仕切壁構造は、第１乃至第４のいずれかの発明において、前記パネルユニットは、前記通気路の上方において前記各パネル材に跨って設けられた棚板を有していることを特徴とする。
【００１７】
本発明によれば、通気路の上方において各パネル材に跨って設けられた棚板の上に花を飾ったり小物を置いたりすることができる。これにより、上記第１の発明の効果を得つつ、間仕切壁を装飾することが可能となる。また、棚板によって各パネル材を連結する構成としているため、棚板に棚としての機能の他に連結材としての機能を付加することができ、棚板の多機能化を図ることができる。
【００１８】
第６の発明の建物の間仕切壁構造は、第１乃至第５のいずれかの発明において、前記通気路には、前記各通気孔のうち一方の通気孔から他方の通気孔へと向かう空気の流れを前記通気路において生じさせるファン装置が設けられていることを特徴とする。
【００１９】
本発明によれば、一方の通気孔から通気路に入りこんだ空気がファン装置により他方の通気孔へと積極的に導かれるため通気性を高めることができる。
【００２０】
また、第４の発明を併せ持つ構成とすれば、ファン装置の作動時に風切り音等が発生してもその音を吸音材により吸収することができるため、通気性を高めつつも遮音性の低下を抑えることができる。
【００２１】
第７の発明の建物の間仕切壁構造は、第６の発明において、前記間仕切壁により仕切られた両空間のうち少なくともいずれかの空間は居室空間となっており、前記居室空間における温度を検知する居室温検知手段と、前記居室温検知手段により検知された居室空間の温度が所定温度以上である場合に、前記ファン装置を作動させて排気を行う制御手段と、を備えることを特徴とする。
【００２２】
本発明によれば、居室空間の温度が所定温度以上になるとファン装置が作動するため、居室空間が暑くなった場合には居室空間の熱を通気路を介して外部に自動で排出することができる。これにより、居室空間に熱がこもるのを防止することができる。
【００２３】
第８の発明の建物の間仕切壁構造は、第６又は第７の発明において、前記間仕切壁により仕切られた両空間のうち少なくともいずれかの空間は居室空間となっており、前記居室空間に人が存在することを検知する人検知手段と、前記人検知手段により人が検知された場合に、前記ファン装置を作動させる制御手段と、を備えることを特徴とする。
【００２４】
本発明によれば、居室空間に人がいる場合にはファン装置が作動して居室空間の換気が行われる。これにより、人の熱気により居室空間に熱がこもったりするのを回避することができ、居室空間の快適性を確保することができる。
【図面の簡単な説明】
【００２５】
【図１】第１の実施形態におけるパネルユニット周辺の構成を示す縦断面図。
【図２】パネルユニット周辺の構成を示す横断面図。
【図３】パネルユニットの構成を示す分解斜視図。
【図４】第２の実施形態におけるパネルユニット周辺の構成を示す縦断面図。
【図５】別の実施形態におけるパネルユニットの構成を示す模式図。
【図６】別の実施形態におけるパネルユニットの構成を示す模式図。
【図７】パネルユニットの設置態様の別例を示す図。
【図８】パネルユニットの設置態様の別例を示す図。
【図９】サッシの開口部にパネルユニットを設置した建物を示す図。
【図１０】パネルユニット周辺の構成を示す縦断面図。
【発明を実施するための形態】
【００２６】
〔第１の実施形態〕
以下に、本発明を具体化した一実施の形態について図面を参照しつつ説明する。なお、図１は、パネルユニット周辺の構成を示す縦断面図であり、図２はパネルユニット周辺の構成を示す横断面図である。
【００２７】
図１及び図２に示すように、住宅には屋内において空間を仕切るための間仕切壁１０が設けられている。間仕切壁１０は、第一居室１１と、第二居室１２とを仕切るようにして設けられている。間仕切壁１０は、対向する一対の壁面材１３と、これら各壁面材１３の間に設けられた下地フレーム１４とを備えている。
【００２８】
間仕切壁１０には、第一居室１１と第二居室１２とを連通する開口部１５が形成されている。間仕切壁１０の下地フレーム１４は、開口部１５の周縁に沿って配設された開口フレーム材１４ａを有している。この開口部１５には、パネルユニット２０が組み付けられはめ込まれている。
【００２９】
次に、このパネルユニット２０の構成について図３に基づいて説明する。なお、図３はパネルユニット２０の構成を示す分解斜視図である。
【００３０】
図３に示すように、パネルユニット２０は、縦枠２１、横枠２２、遮音板２３及び連結板２４を備えて構成されている。縦枠２１と横枠２２とは、間仕切壁１０の開口部１５の内周に沿って配設される造作材であり、例えば押し出し成型により形成された長尺状の樹脂部材からなる。縦枠２１と横枠２２とはそれぞれ一対ずつ設けられており、一対の縦枠２１と一対の横枠２２とがビス等により四辺形状に組み合わせられることでパネルユニット２０の外周枠が構成されている。
【００３１】
遮音板２３は、矩形形状の板材からなり、遮音性かつ透明性を有するアクリル樹脂により形成されている。本実施形態では、遮音板２３が複数設けられており、具体的には４つ設けられている。これら４つの遮音板２３は、上記外周枠の内部において間仕切壁１０と略平行となる向きで一対の縦枠２１を跨ぐように設けられている。具体的には、各縦枠２１には、遮音板２３の設置部位に対応して同設置方向に沿って溝部２１ａが形成されており、各遮音板２３はその端部を溝部２１ａに入り込ませた状態で設けられている。
【００３２】
これら４つの遮音板２３のうち２つの遮音板２３は、縦枠２１の高さ方向における中間位置に配置されている。これら２つの遮音板２３は、離間してかつ対向して設けられている。以下、これら２つの遮音板２３を遮音板２３Ａ，２３Ｂという。
【００３３】
残る２つの遮音板２３の説明をするのに先立ち、次に連結板２４について説明する。連結板２４は、矩形形状の板材からなり、例えばアルミニウム板により形成されている。連結板２４は、上記外周枠の内側において一対設けられており、これら各連結板２４はそれぞれ略水平となる向きで一対の縦枠２１に跨って設けられている。各連結板２４は、その両端部において縦枠２１に対しビス等で固定されている。
【００３４】
これら各連結板２４のうち一方（以下、上側連結板２４Ａという）は、上記対向する２つの遮音板２３Ａ，２３Ｂの上端部に跨って設けられ、他方（以下、下側連結板２４Ｂという）は上記２つの遮音板２３Ａ，２３Ｂの下端部に跨って設けられている。具体的には、各連結板２４には、遮音板２３Ａ，２３Ｂの設置部位に対応して同設置方向に沿って溝部２４ａが形成されており、その溝部２４ａに遮音板２３Ａ，２３Ｂの上下端部を入り込ませた状態で設けられている。これにより、各遮音板２３Ａ，２３Ｂが連結板２４に対し固定されている。なおここで、各遮音板２３Ａ，２３Ｂと各連結板２４とにより囲まれた空間が後述する通気路２８（図１及び図２参照）となっており、この通気路２８は間仕切壁１０の壁面方向に沿って延びている。
【００３５】
上記４つの遮音板２３のうち、説明を後回しにした残る２つの遮音板２３のうちのひとつ（以下、遮音板２３Ｃという）は、下側連結板２４Ｂと下側の横枠２２とに跨がってかつ遮音板２３Ａと上下に並んで設けられている。具体的には、下側連結板２４Ｂ及び下側の横枠２２には、遮音板２３Ｃの設置部位に対応して同設置方向に沿ってそれぞれ溝部２４ａ，２２ａが形成されており、遮音板２３Ｃはその上下端部を溝部２４ａ，２２ａに入り込ませた状態で設けられている。これにより、遮音板２３Ｃが固定されている。
【００３６】
上記４つの遮音板２３のうち残りのひとつ（以下、遮音板２３Ｄという）は、上側連結板２４Ａと上側の横枠２２とに跨って、かつ遮音板２３Ｂと上下に並んで設けられている。具体的には、上側連結板２４Ａ及び上側の横枠２２には、遮音板２３Ｄの設置部位に対応して同設置方向に沿って溝部２４ａ，２２ａが形成されており、遮音板２３Ｄはその上下端部を溝部２４ａ，２２ａに入り込ませた状態で設けられている。これにより、遮音板２３Ｄが固定されている。
【００３７】
図１の説明に戻り、上記のように構成されたパネルユニット２０は、開口部１５に設置された状態においてその縦枠２１及び横枠２２が開口フレーム材１４ａの内側面に当接されて同内側面に対しビス等により固定されている。これにより、パネルユニット２０が間仕切壁１０に対して固定される。なお、パネルユニット２０は予め工場において製造され、施工現場において間仕切壁１０の開口部１５に組み付けられるものとなっている。但し、パネルユニット２０を施工現場において間仕切壁１０に組み付けるようにしてもよい。
【００３８】
パネルユニット２０の各縦枠２１及び各横枠２２と、壁面材１３との間の隙間には、当該隙間に沿ってケーシング２９が配設されている。ケーシング２９は、長尺状の化粧材であり、例えば押し出し成型により形成された樹脂部材からなる。
【００３９】
パネルユニット２０の設置状態において、開口部１５におけるパネルユニット２０の上側連結板２４Ａの上方には、遮音板２３Ａ，２３Ｃに対して第二居室１２側に凹ませられた凹状空間３６が形成されており、下側連結板２４Ｂの下方には、遮音板２３Ｂ，２３Ｄに対して第一居室１１側に凹ませられた凹状空間３７が形成されている。そのため、この凹状空間３６を利用して第一居室１１側から上側連結板２４Ａの上に小物を置いたり、凹状空間３７を利用して第二居室１２側から下側の横枠２２の上に花瓶を置いたりすることができるようになっている。つまり、パネルユニット２０を棚として機能させることが可能となっている。
【００４０】
ところで、本実施形態では、パネルユニット２０に各居室１１，１２間を連通する通気孔を設けることで各居室１１，１２の間で通気を可能としているとともに、通気孔を設けながらも遮音性の低下を抑制することとしている。本実施形態はその点に特徴を有しており、以下その詳細について説明する。
【００４１】
パネルユニット２０において各連結板２４Ａ，２４Ｂにはそれぞれ、通気路２８の内外を連通する通気孔３２，３３が形成されている。具体的には、上側連結板２４Ａに形成された第一通気孔３２が第一居室１１と通気路２８とを連通しており、下側連結板２４Ｂに形成された第二通気孔３３が第二居室１２と通気路２８とを連通している。通気路２８は、これら各通気孔３２，３３のみを介して各居室１１，１２と連通されており、それ故略閉空間となっている。
【００４２】
各通気孔３２，３３は、開口部１５の開口幅方向に沿って長尺状に形成されている。各通気孔３２，３３は、各々の通気孔３２，３３を介して通気路２８に音が出入りするのを抑制すべくその幅が小さく設定されており、例えば数ｍｍ〜１０ｍｍ程度となっている。また、各通気孔３２，３３は、間仕切壁１０の厚み方向において互いにずらして配置されており、具体的には上側連結板２４Ａに形成された通気孔３２が当該連結板２４Ａにおける第二居室１２側に配置されているのに対して、下側連結板２４Ｂに形成された通気孔３３が当該連結板２４Ｂにおける第一居室１１側に配置されている。
【００４３】
次に、本パネルユニット２０の作用について説明する。本パネルユニット２０では、各通気孔３２，３３及び通気路２８を介して間仕切壁１０により仕切られた各居室１１，１２の間で通気が可能となっている。また、通気路２８が間仕切壁１０の壁面方向に、詳しくは上下方向に延びているため、通気孔３２，３３を介して音が通気路２８に入り込んでも同通気路２８において音の減衰を促進させることができる。そのため、本パネルユニット２０により各居室１１，１２の間で通気を可能としつつも遮音性の低下を抑制することが可能となっている。
【００４４】
以上、詳述した本実施形態の構成によれば、以下の優れた効果が得られる。
【００４５】
間仕切壁１０の一部に設けた開口部１５にパネルユニット２０を設置し、そのパネルユニット２０には間仕切壁１０の厚み方向に対向する一対の遮音板２３Ａ，２３Ｂと、これら各遮音板２３Ａ，２３Ｂの間に形成された通気路２８と、を備えた。そして、通気路２８を、第一通気孔３２を介して第一居室１１と連通させるとともに、第二通気孔３３を介して第二居室１２と連通させた。この場合、間仕切壁１０により仕切られた両居室１１，１２の間で通気を行うことができる。また、通気路２８を、間仕切壁１０の壁面方向に延びるように形成したため、間仕切壁１０の厚みに制限されることなく通気路２８を長く形成することができる。そのため、通気孔３２，３３を介して音が通気路２８に入り込んでも通気路２８において音の減衰を促進させることができる。よって、以上より間仕切壁１０により仕切られた両居室１１，１２の間で通気を可能としつつも遮音性の低下を抑制することができる。
【００４６】
通気路２８の上端側に第一通気孔３２を設け、通気路２８の下端側に第二通気孔３３を設けた。すなわち通気路２８の両端側にそれぞれ各通気孔３２，３３を設けたため、通気路２８における音の伝搬距離をより一層長くすることができる。これにより、音の減衰効果を高めることができるため、遮音性の低下をより一層抑制することができる。
【００４７】
間仕切壁１０の厚み方向に対して直交する方向に通気路２８の内外を連通するよう通気孔３２，３３を形成したため、通気孔３２，３３を間仕切壁１０の厚み方向に通気路２８の内外を連通するよう設ける場合と比べ、間仕切壁１０に対面する側から通気孔３２，３３を目立たなくすることができる。これにより、通気孔３２，３３を設けることによって間仕切壁１０の外観が損なわれるのを抑制することができる。
【００４８】
通気路２８の上方において各遮音板２３Ａ，２３Ｂに跨るようにして設けられこれら各遮音板２３Ａ，２３Ｂを連結する上側連結板２４Ａを備えた。この場合、上側連結板２４Ａの上に花を飾ったり小物を置いたりすることができるため、通気性の確保と遮音性低下の抑制との両立を図るとともに間仕切壁１０を装飾することが可能となる。また、各遮音板２３Ａ，２３Ｂを連結する連結板２４Ａに棚としての機能を持たせる構成としたため連結板２４Ａの多機能化を図ることができる。
【００４９】
通気孔３２を開口部１５の開口幅方向に沿って長尺状に形成したため、上側連結板２４Ａの上に小物等が置かれても通気孔３２，３３全体が小物等により塞がれるのを回避することができる。そのため、通気性を確保することができる。
【００５０】
パネルユニット２０の各遮音板２３は透明性を有していることから、この遮音板２３を介して間仕切壁１０を挟んだ反対側の居室１１，１２から光を採り込むことができる。
【００５１】
〔第２の実施形態〕
本実施形態では通気路２８にファン装置を設け、このファン装置により積極的に通気を行うこととする。以下に、本実施形態の構成を図４に基づいて第１の実施形態との相違点を中心に説明する。なお、図４はパネルユニット２０周辺の構成を示す縦断面図である。
【００５２】
本実施形態のパネルユニット２０は、第１の実施形態におけるそれと同一の構成を有しているため、図中では同一の符号を付して示す。但し、上記第１の実施形態では遮音板２３が透明性を有する素材により形成されていたが、本実施形態では遮音板２３が不透明の素材により形成されている点が異なる。本実施形態では、例えば遮音板２３が青色に着色されている。
【００５３】
図４に示すように、本実施形態のパネルユニット２０において、通気路２８にはファン装置４１が設けられている。ファン装置４１は、通気路２８において同ファン装置４１により生じる気流の向きが上下方向となる向きで設置されている。具体的には、例えばファン装置４１は、同ファン装置４１により生じる気流が下向きとなるように設置されている。かかる設置状態においてファン装置４１は、そのケース本体が遮音板２３に対して固定されており、具体的にはファン装置４１の作動時における振動が遮音板２３に伝わるのを抑制すべくゴム板等からなる制振材４３を介在させて遮音板２３に固定されている。ファン装置４１を作動させると、第一居室１１と第二居室１２との間で通気路２８を介した空気の流通が積極的に行われ、これにより各居室１１，１２間の通気を促進させることができる。
【００５４】
通気路２８には、吸音材４５が設けられている。吸音材４５は、シート状に形成されており、例えばグラスウールやロックウール等からなる。吸音材４５は、遮音板２３の通気路２８側の側面に接着等により取り付けられている。なお、吸音材４５を遮音板２３に取り付けることに代えて又は加えて、連結板２４の通気路２８側の面に取り付けてもよい。但し、この場合吸音材４５によって通気孔３２，３３を閉塞しないように留意する。
【００５５】
第一居室１１には、居室温検知手段としての居室温センサ４７が設けられている。居室温センサ４７は、第一居室１１内の温度を検知するセンサであり、例えば間仕切壁１０の壁面に設けられている。
【００５６】
第一居室１１には、人検知手段としての人検知センサ４８が設けられている。人検知センサ４８は、第一居室１１内に人が存在することを検知するセンサであり、例えば間仕切壁１０の壁面に設けられている。
【００５７】
第一居室１１には、制御手段としてのコントローラ４９が設けられている。コントローラ４９は、ＣＰＵ等を有する周知のマイクロコンピュータを主体に構成されており、例えば第一居室１１の内壁面に設けられている。コントローラ４９には、居室温センサ４７及び人検知センサ４８から逐次検知結果が入力され、コントローラ４９は、これら各センサ４７，４８からの検知結果に基づいてファン装置４１に指令信号を出力する。
【００５８】
コントローラ４９は、居室温センサ４７の検知結果に基づいてファン装置４１を作動させる機能と、人検知センサ４８の検知結果に基づいてファン装置４１を作動させる機能とを有している。
【００５９】
居室温センサ４７の検知結果に基づく制御として、コントローラ４９は、居室温センサ４７からの検知結果に基づいて、第一居室１１内の温度が所定以上の温度であるか否かを判定する。ここで、所定の温度は、第一居室１１内にいる居住者が暑さを感じることが想定される温度に設定されており、例えば３０℃に設定されている。コントローラ４９は、第一居室１１内の温度が所定温度以上であることを判定した場合には、ファン装置４１を作動させる。
【００６０】
また、人検知センサ４８の検知結果に基づく制御として、コントローラ４９は、人検知センサ４８からの検知結果に基づいて、第一居室１１内に人が存在するか否かを判定する。コントローラ４９は、第一居室１１内に人が存在することを判定した場合には、ファン装置４１を作動させる。
【００６１】
以上、詳述した本実施形態の構成によれば、以下の優れた効果が得られる。
【００６２】
通気路２８に設置したファン装置４１により一方の通気孔３２（又は３３）から通気路２８に入りこんだ空気を他方の通気孔３３（又は３２）へと積極的に導くことができるため通気性を高めることができる。
【００６３】
通気路２８に設けた吸音材４５により通気路２８を伝搬する音を吸収することができるため、遮音性の低下をより一層抑制することができる。また、この吸音材４５によってファン装置４１の作動時に風切り音等が発生してもその音を吸収することができるため、通気性を高めつつも遮音性の低下を抑えることできる。
【００６４】
ファン装置４１と遮音板２３との間に制振材４３を介在させたため、ファン装置４１の作動時における振動が遮音板２３に伝わるのを抑制することができる。これにより、ファン装置４１により通気性の向上を図る構成において遮音性の低下を抑制するのに寄与することができる。
【００６５】
居室温センサ４７により検知された第一居室１１の温度が所定温度以上になった場合にファン装置４１を作動させることとしたため、第一居室１１が暑くなった場合には第一居室１１の熱を通気路２８を介して第二居室１２側に自動で排出することができる。これにより、第一居室１１に熱がこもるのを防止することができる。
【００６６】
人検知センサ４８により第一居室１１に人がいることが検知された場合にファン装置４１を作動させることとしたため、第一居室１１に人がいる場合にはファン装置４１が作動して第一居室１１の換気が行われる。これにより、人の熱気により第一居室１１に熱がこもったりするのを回避することができ、第一居室１１の快適性を確保することができる。
【００６７】
〔他の実施形態〕
本発明は上記実施形態に限らず、例えば次のように実施されてもよい。
【００６８】
（１）上記各実施形態では、各通気孔３２，３３を間仕切壁１０の厚み方向にずらして（換言すると上下方向に並ばないように）配置したが、これを変更し、図５（ａ）に示すように各通気孔５１，５２を上下方向に並べて配置してもよい。なお、図５（ａ）はパネルユニットの構成を示す縦断面の模式図である。
【００６９】
（２）上記各実施形態では、各通気孔３２，３３を連結板２４に形成したが、これを変更し、図５（ｂ）に示すように、各通気孔５３，５４を遮音板２３Ａ，２３Ｂに形成してもよい。また、第一通気孔を連結板２４Ａ（又は遮音板２３Ａ）に形成し、第二通気孔を遮音板２３Ｂ（又は連結板２４Ｂ）に形成してもよい。なお、図５（ｂ）はパネルユニットの構成を示す縦断面の模式図である。
【００７０】
（３）上記実施形態では、上下方向に延びる通気路２８を形成し、その通気路２８の上下端部において各通気孔３２，３３を形成したが、これを変更してもよい。例えば図５（ｃ）に示すように、開口部１５の開口幅方向に延びる通気路２８を形成し、同開口幅方向の両端側に各通気孔５５，５６を形成してもよい。なお、図５（ｃ）はパネルユニットの構成を横断面の模式図で示している。
【００７１】
（４）上記各実施形態では、通気孔３２，３３を開口部１５の開口幅方向に沿って長尺状に形成したが、通気孔を間仕切壁１０の厚み方向に沿って延びるように形成してもよい。また、通気孔３２，３３の形状は必ずしも長尺状とする必要はなく任意の形状でよい。例えば通気孔３２，３３を丸孔形状や長孔形状、四角形等の多角形状等で形成することが考えられる。図５（ｄ）には通気孔５７を丸孔形状で形成した例を示す。この場合、例えば直径数ｍｍ程度の通気孔５７を連結板２４の長手方向に沿って所定間隔で複数形成することが考えられる。
【００７２】
（５）パネルユニット２０の構成を図６（ａ）及び（ｂ）に示す構成としてもよい。図６（ａ）では、間仕切壁１０の開口部１５において間仕切壁１０の厚み方向に一対の遮音板５８を対向させることによりパネルユニット６０が構成されている。具体的には、各遮音板５８は縦枠２１と横枠２２とにより囲まれた内側領域とほぼ同じ大きさで形成されており、それ故同内側領域の全域に遮音板５８が二重に配置される構成となっている。この場合、遮音性を高めることができる。なお、本例の構成では、一対の遮音板５８のうち一方の遮音板５８Ａと下側の横枠２２との間の隙間６１を介して通気路２８と第一居室１１とが連通され、他方の遮音板５８Ｂと上側の横枠２２との間の隙間６２を介して通気路２８と第二居室１２とが連通されている。そして、これら各隙間６１，６２が通気孔として機能するようになっている。
【００７３】
また、図６（ｂ）では、間仕切壁１０の厚み方向における連結板２４の中間部（例えば略中央部）において、当該連結板２４と横枠２２とを跨ぐように遮音板２３Ｃ，２３Ｄが設けられることでパネルユニット６３が構成されている。この場合、上側連結板２４Ａにおける遮音板２３を挟んだ両側を棚として用いることができるため、第一居室１１側からも第二居室１２側からも連結板２４Ａ上に小物を置いたりすることができる。
【００７４】
また、図６（ｂ）の構成では、各通気孔６４，６５がともに通気路２８に対して同じ側に、具体的には下側に設けられている。この場合、一方の通気孔６４（又は６５）を介して通気路２８に入り込んだ音は必ず遮音板２３等により反射されてから他方の通気孔６５（又は６４）へと導かれるため、反射による音の減衰効果を確実に得ることができる。
【００７５】
（６）対向する２つの遮音板２３Ａ，２３Ｂの間に仕切板を設け、各遮音板２３Ａ，２３Ｂの間において仕切板を挟んだ両側に通気路を形成するようにしてもよい。その一例を図６（ｃ）に示す。図６（ｃ）に示すパネルユニット２０では、各遮音板２３Ａ，２３Ｂの間に矩形形状の仕切板６８が遮音板２３と平行となる向きで設けられている。具体的には、仕切板６８は、その上端部が上側連結板２４Ａに固定されており、その下端部と下側連結板２４Ｂとの間には隙間が設けられている。この場合、各遮音板２３Ａ，２３Ｂの間において仕切板６８を挟んだ両側に通気路２８が形成されるため、間仕切壁１０の壁厚分の限られたスペースにおいて通気路２８をさらに長く形成することができる。そのため、音の減衰効果をより一層高めることができ、その結果遮音性の低下を更に抑制することができる。また、図６（ｃ）の構成では、仕切板６８を設けることにより長く形成された通気路２８の一端側に第一通気孔６６が設けられ，他端側に第二通気孔６７が設けられているため、通気路２８における音の伝搬距離を長くすることができ、その結果更なる音の減衰効果を得ることができる。
【００７６】
なお、仕切板６８は、遮音板２３と同様、透明性を有する素材により形成するのが望ましい。そうすれば、通気路２８に仕切板６８を設けたにもかかわらず採光性を確保することができる。また、仕切板６８，６９を吸音機能を有する素材（例えば板状に形成されたグラスウール等）により形成してもよい。そうすれば、通気路２８を伝搬する音を仕切板６８により吸収する効果も併せて得られるため、遮音性の低下をより一層抑制することができる。
【００７７】
また、図６（ｄ）に示すように、仕切板６９を遮音板５８と直交する向きで設けてもよい。さらには、同図に示すように、対向する２つの遮音板５８の間に仕切板６９を複数設けてもよい。この場合、各仕切板６９において各々の仕切板６９を挟んだ両側に通気路２８が形成される。そのため、通気路２８をより長く形成することが可能となる。
【００７８】
（７）上記実施形態では、間仕切壁１０において当該間仕切壁１０をその厚み方向に貫通して形成された開口部１５に対しパネルユニット２０を設置したが、パネルユニット２０を設置する開口部１５は必ずしもこのような貫通孔でなくてもよく、間仕切壁１０の一部に形成された開口部であればいかなる形態のものでもよい。例えば図７に示すように、間仕切壁を構成する一対の間仕切パネル１０３，１０４を所定の間隔をあけて横並びに設置することで、それら各間仕切パネル１０３，１０４の間に開口部１０５を形成し、その開口部１０５にパネルユニット１０６を設置してもよい。この場合、開口部１０５が床面から天井面にわたって上下に長く形成されるため、それに合わせて上下に長く形成されたパネルユニットを開口部１０５に設置する必要がある。例えば、パネルユニット１０６を上下方向に複数並べて開口部１０５に設置することが考えられる。
【００７９】
また、図８に示すように、パネルユニット１０７を間仕切壁を構成する間仕切パネル１０８の上端部と天井面との間に形成された開口部１０９に設置してもよい。この場合、水平方向に長尺状に形成されたパネルユニット１０７を設置することが考えられる。
【００８０】
（８）上記各実施形態では、建物に固定された固定間仕切壁に対して本発明を適用したが、これを変更して、可動式の間仕切壁に対して本発明を適用してもよい。例えば、建物に設けられた開閉可能なサッシに対し本発明を適用することが考えられる。その一例を図９に示す。図９に示す建物７０は、一階部分７１と二階部分７２とを有する二階建ての建物である。一階部分７１には、リビング７３、ダイニング７４、インナーテラス７５等が設けられており、二階部分７２には、居室７７、インナーバルコニー７８等が設けられている。また、建物７０には、一階部分７１と二階部分７２とを跨ぐように吹き抜け空間７９が設けられ、この吹き抜け空間７９がテラスとなっている。
【００８１】
一階部分７１には、リビング７３とインナーテラス７５とを仕切る開閉可能なサッシ８１が設けられているとともに、インナーテラス７５と屋外とを仕切るルーバ式のシャッタカーテン８２が設けられている。二階部分７２には、居室７７とインナーバルコニー７８とを仕切る開閉可能なサッシ８３が設けられているとともに、インナーバルコニー７８と屋外とを仕切るルーバ式のシャッタカーテン８４が設けられている。
【００８２】
上記構成の建物７０において、一階部分７１及び二階部分７２のサッシ８１，８３にはそれぞれ開口部８７，８８が設けられ、各々の開口部８７，８８にはパネルユニット９０が配設されている。このパネルユニット９０の構成を図１０に基づいて簡単に説明すると、パネルユニット９０は、サッシ８１，８３と平行となる向きで設けられた一対の対向するパネル材９１，９２を有して構成されている。これらパネル材９１，９２は、透明性を有するアクリル樹脂により構成され、これら各パネル材９１，９２の間には通気路９３が形成されている。各パネル材９１，９２には、それぞれ通気路９３の内外を連通する微小な通気孔９５，９６が形成されており、これら通気孔９５，９６のうち通気孔９５が通気路９３の上端側に配置され、通気孔９６が通気路９３の下端側に配置されている。
【００８３】
この場合、各通気孔９５，９６及び通気路９３を介してサッシ８１，８３を挟んだ両側空間の間で通気が可能となる。また、各通気孔９５，９６が上下に延びる通気路９３の上端側及び下端側に配置されているため、通気孔９５，９６を介して音が通気路９３に入り込んでも通気路９３において音の減衰を促進させることができる。これにより、サッシ８１，８３により仕切られた両空間の間で通気を可能としつつも遮音性の低下を抑制することができる。また、シャッタカーテン８２，８４が開かれてインナーテラス等７５，７８に日光が射し込んでいる場合は、その光をパネルユニット９０を介してリビング等７３，７７に採り込むことができるため、屋外に面していない上記空間７３，７７を自然光により明るく照らすことができる。
【符号の説明】
【００８４】
１０…間仕切壁、１５…開口部、２０…パネルユニット、２３…パネル材としての遮音板、２４…棚板としての連結板、２８…通気路、３２…第一通気孔、３３…第二通気孔、３４…、４１…ファン装置、４５…吸音材、４７…居室温検知手段としての居室温センサ、４８…人検知手段としての人検知センサ、４９…制御手段としてのコントローラ、６８，６９…仕切板。
【図１】
0005586276.tif 000002
【図２】
0005586276.tif 000003
【図３】
0005586276.tif 000004
【図４】
0005586276.tif 000005
【図５】
0005586276.tif 000006
【図６】
0005586276.tif 000007
【図７】
0005586276.tif 000008
【図８】
0005586276.tif 000009
【図９】
0005586276.tif 000010
【図１０】
0005586276.tif 000011